(57)【特許請求の範囲】
【請求項１】
上部に吸込口が形成され、底部に主吹出口が形成されるパネルフレームと、
前記パネルフレームの左端と右端にそれぞれ設けられ、少なくともその中の一つの前記主吹出口と近接する部分に補助吹出口が形成され、前記パネルフレームとの間に、前記補助吹出口と連通する補助吹出通路が画定されるエンドカバーと、
前記補助吹出口に設けられる第１の補助吹出用グリルと、
前記エンドカバーの外面に設けられ、かつ前記補助吹出口の外周を囲むように設けられている導風部材と、を含む、
ことを特徴とする空気調和機用室内機のケーシングアセンブリ。
【請求項２】
前記導風部材の外側輪郭の形状は、前記第１の補助吹出用グリルの外側輪郭の形状に適合する、
ことを特徴とする請求項１に記載の空気調和機用室内機のケーシングアセンブリ。
【請求項３】
前記第１の補助吹出用グリルの外側輪郭と前記導風部材の外側輪郭は、いずれも「Ｓ」形である、
ことを特徴とする請求項２に記載の空気調和機用室内機のケーシングアセンブリ。
【請求項４】
前記導風部材は、前記エンドカバーに着脱可能に接続される、
ことを特徴とする請求項１〜３のいずれか１項に記載の空気調和機用室内機のケーシングアセンブリ。
【請求項５】
前記導風部材と前記エンドカバーのうちの一つに留め具が設けられ、もう一つに前記留め具と嵌合する係合溝が設けられる、
ことを特徴とする請求項４に記載の空気調和機用室内機のケーシングアセンブリ。
【請求項６】
前記エンドカバーに、位置制限溝が形成され、前記位置制限溝の側壁に前記係合溝が形成され、前記導風部材に前記留め具が形成される、
ことを特徴とする請求項５に記載の空気調和機用室内機のケーシングアセンブリ。
【請求項７】
前記導風部材に、前記位置制限溝と嵌合する位置制限部が形成され、前記位置制限部は、前記導風部材の延在方向に沿って延在し、かつ前記留め具から離れて設けられている
ことを特徴とする請求項６に記載の空気調和機用室内機のケーシングアセンブリ。
【請求項８】
前記第１の補助吹出用グリルは、前記エンドカバーと一体的に成型される、
ことを特徴とする請求項１〜７のいずれか１項に記載の空気調和機用室内機のケーシングアセンブリ。
【請求項９】
前記第１の補助吹出用グリルは、並列に設けられかつアーク状に延在する複数の第１の隔離リブを有し、隣接する２つの前記第１の隔離リブの間に第１の吹出通気孔が画定され、前記補助吹出通路に近接する方向に沿って、前記第１の吹出通気孔の幅が徐々に大きくなる、
ことを特徴とする請求項１〜８のいずれか１項に記載の空気調和機用室内機のケーシングアセンブリ。
【請求項１０】
空気調和機用室内機であって、
請求項１〜９のいずれか１項に記載の空気調和機用室内機のケーシングアセンブリを含む、
ことを特徴とする空気調和機用室内機。
【発明の詳細な説明】
【技術分野】
【０００１】
本出願は出願番号が２０１８２０１８１６４１．５、出願日が２０１８年１月３１日である中国特許出願に基づいて提案され、該中国特許出願の優先権を主張し、該中国特許出願の全内容がここで参照として本明細書に組み込まれる。
【０００２】
本出願は空気調和機技術分野に関し、特に空気調和機用室内機のケーシングアセンブリ及び空気調和機用室内機に関する。
【背景技術】
【０００３】
関連技術では、一部の空気調和機用室内機は、その左右両端のエンドカバーに補助吹出口が設けられ、吹出範囲が拡大される。しかしながら、補助吹出口が機体の左右両側のエンドカバーに設けられるため、一部の気流は、機体の後側に向かって流れ、これにより補助吹出口の吹出効果が低下する。したがって、改善が必要となる。
【発明の概要】
【発明が解決しようとする課題】
【０００４】
本出願は従来技術に存在する技術的問題の一つを少なくとも解決することを目的とする。このため、本出願は空気調和機用室内機のケーシングアセンブリを提供し、前記ケーシングアセンブリの補助吹出口は吹出効果が高い。
【０００５】
本出願はさらに上記ケーシングアセンブリを備えた空気調和機用室内機を提供する。
【課題を解決するための手段】
【０００６】
本出願の第１の態様の実施例による空気調和機用室内機のケーシングアセンブリは、上部に吸込口が形成され、底部に主吹出口が形成されるパネルフレームと、前記パネルフレームの左端と右端にそれぞれ設けられ、少なくともその中の一つの前記主吹出口と近接する部分に補助吹出口が形成され、前記パネルフレームとの間に、前記補助吹出口と連通する補助吹出通路が画定されるエンドカバーと、前記補助吹出口に設けられる第１の補助吹出用グリルと、前記エンドカバーの外面に設けられ、かつ前記補助吹出口の外周を囲むように設けられている導風部材とを含む。
【０００７】
本出願の実施例による空気調和機用室内機のケーシングアセンブリでは、エンドカバーの補助吹出口の外周に導風部材が設けられることにより、補助吹出口への導流及び導風の役割を果たし、機体の後側に向かう気流の流れを減らし、補助吹出口の吹出効果を向上させることができる。
【０００８】
本出願のいくつかの実施例によれば、前記導風部材の外側輪郭の形状は、前記第１の補助吹出用グリルの外側輪郭の形状に適合する。
【０００９】
前記第１の補助吹出用グリルの外側輪郭と前記導風部材の外側輪郭がいずれも「Ｓ」形であることも可能である。
【００１０】
本出願のいくつかの実施例によれば、前記導風部材は前記エンドカバーに着脱可能に接続される。
【００１１】
前記導風部材と前記エンドカバーのうちの一方に留め具を設け、他方に前記留め具と嵌合する係合溝を設けることも可能である。
【００１２】
さらに、前記エンドカバーに位置制限溝が形成され、前記位置制限溝の側壁に前記係合溝が形成され、前記導風部材に前記留め具が形成される。
【００１３】
さらに、前記導風部材に前記位置制限溝と嵌合する位置制限部が形成され、前記位置制限部は、前記導風部材の延在方向に沿って延在し、かつ前記留め具から離れて設けられている。
【００１４】
本出願のいくつかの実施例によれば、前記第１の補助吹出用グリルは前記エンドカバーと一体的に成型される。
【００１５】
本出願のいくつかの実施例によれば、前記第１の補助吹出用グリルは並列に設けられ、かつアーク状に延在する複数の第１の隔離リブを有し、隣接する２つの前記第１の隔離リブの間に第１の吹出通気孔が画定され、前記第１の吹出通気孔の幅が前記補助吹出通路に近接する方向に沿って、徐々に大きくなる。
【００１６】
本出願の第２の態様の実施例による空気調和機用室内機は、本出願の上記第１の態様の実施例によるケーシングアセンブリを含む。
【発明の効果】
【００１７】
本出願の実施例による空気調和機用室内機では、上記ケーシングアセンブリが設けられることにより、補助吹出口の吹出効果を向上させることができる。
【図面の簡単な説明】
【００１８】
本出願の追加の態様及び利点は、以下の説明で部分的に示され、一部が以下の説明から明らかになり、又は本出願の実践によって理解される。
【００１９】
本出願の上記及び／又は追加の態様及び利点は、以下の図面を参照しながら実施例を説明することによって明らかで容易に理解できるようになる。
【図１】本出願の一つの実施例による空気調和機用室内機の模式図である。
【図２】図１におけるＡの拡大図である。
【図３】本出願の一つの実施例による空気調和機用室内機の部分構造図である。
【図４】図３におけるＢの拡大図である。
【図５】本出願の一つの実施例による空気調和機用室内機のパネルフレームとエンドカバーの嵌合模式図である。
【図６】本出願の一つの実施例による空気調和機用室内機のエンドカバーと第２の補助吹出用グリル及び導風部材の組み立て模式図である。
【図７】図６の別の角度からの構造図である。
【図８】本出願の一つの実施例による空気調和機用室内機のエンドカバーの構造図である。
【図９】本出願の一つの実施例による空気調和機用室内機の第２の補助吹出用グリルの構造図である。
【図１０】本出願の一つの実施例による空気調和機用室内機の導風部材の構造図である。
【発明を実施するための形態】
【００２０】
以下、本出願の実施例を詳細に説明し、前記実施例の例は、図面に示され、図面を通じて同じ又は類似した符号は、同じ又は類似した素子又は同じ又は類似した機能を有する素子を示す。以下、図面を参照しながら説明する実施例は、例示的なものであり、本出願を解釈するためのものにすぎず、本出願を制限するものとして理解すべきではない。
【００２１】
本出願の説明では、用語「中央」、「縦方向」、「横方向」、「長さ」、「幅」、「厚さ」、「上」、「下」、「前」、「後」、「左」、「右」、「垂直」、「水平」、「上部」、「底部」、「内側」、「外側」、「時計回り」、「反時計回り」、「軸方向」、「径方向」、「円周方向」などに示される方位又は位置関係は、図面に基づいて示される方位又は位置関係であり、本出願を説明し、説明を簡略化するためのものだけであり、示される装置又は素子が必ず特定の方位を有し、特定の方位で構築及び操作することを示し又は暗示するためのものではないと理解されるべきである。また、「第１」と「第２」が限定された特徴は、１つ以上の該特徴を明示的又は暗示的に含むことができる。本出願の説明では、特に明記しない限り、「複数」は、２つ以上を意味する。
【００２２】
本出願の説明では、説明するべきものとして、特に明記及び限定されない限り、用語「取り付け」、「連結」、及び「接続」という用語は広義において、例えば固定接続であってもよく、着脱可能な接続、又は一体的接続であってもよく、機械的接続であってもよいし、電気的接続であってもよいし、直接接続であってもよいし、中間媒体を介する間接的接続であってもよいし、２つの素子の内部の連通であってもよいと理解されるべきである。本分野の当業者にとって、具体的な状況に応じて本出願での上記用語の具体的な意味を理解することができる。
【００２３】
以下に図１〜図１０を参照しながら本出願の実施例による空気調和機用室内機１００のケーシングアセンブリを説明する。
【００２４】
図１〜図１０に示すように、本出願の第１の態様の実施例による空気調和機用室内機１００のケーシングアセンブリは、パネルフレーム１、エンドカバー２、第１の補助吹出用グリル３と導風部材５を含む。
【００２５】
具体的には、パネルフレーム１の上部に吸込口が形成され、パネルフレーム１の底部に主吹出口１１が形成され、吸込口に吸込用グリル１３が設けられてもよく、パネルフレーム１の前側にフロントパネル６が設けられ、主吹出口１１がフロントパネル６の下方に位置し、主吹出口１１に導風板１２が設けられ、導風板１２が主吹出口１１を開閉することに用いられる。エンドカバー２は２つであり且つそれぞれがパネルフレーム１の左端と右端に設けられ、少なくとも一つのエンドカバー２の主吹出口１１に近接する部分に補助吹出口２３が形成され、エンドカバー２とパネルフレーム１の間に、補助吹出口２３と連通する補助吹出通路２４が画定される。
【００２６】
補助吹出口２３が形成されたエンドカバー２は、互いに接続している本体部２１と延在部２２を含み、本体部２１がパネルフレーム１の左側及び／又は右側に位置し、補助吹出口２３が本体部２１に形成され、延在部２２が前記パネルフレーム１の前側に位置し且つ吹出口の左側及び／又は右側に位置し、延在部２２とパネルフレーム１の間に補助吹出通路２４が画定されることも可能である。これにより、補助吹出通路２４の形成に便利であり、該補助吹出通路２４により、風を補助吹出口２３に案内して吹き出すことが容易になる。
【００２７】
ここで、パネルフレーム１の左端に位置するエンドカバー２のみに補助吹出口２３が設けられてもよく、補助吹出口２３が該エンドカバー２の本体部２１に位置し、この時に該エンドカバー２の延在部２２とパネルフレーム１の間に上記補助吹出通路２４が画定され、該補助吹出通路２４が対応する補助吹出口２３と連通し、空気調和機が動作する場合、風が主吹出口１１及び左側に位置する補助吹出口２３から吹き出されてもよく、また、パネルフレーム１の右端に位置するエンドカバー２のみに補助吹出口２３が設けられてもよく、補助吹出口２３が該エンドカバー２の本体部２１に位置し、この時に該エンドカバー２の延在部２２とパネルフレーム１の間に上記補助吹出通路２４が画定され、該補助吹出通路２４が対応する補助吹出口２３と連通し、空気調和機が動作する場合、風が主吹出口１１及び右側に位置する補助吹出口２３から吹き出されてもよく、又は、パネルフレーム１の左端に位置するエンドカバー２とパネルフレーム１の右端に位置するエンドカバー２のそれぞれに補助吹出口２３が設けられてもよく、この時に補助吹出口２３が２つのエンドカバー２の本体部２１に形成され、２つのエンドカバー２の延在部２２のそれぞれとパネルフレーム１の間に上記補助吹出通路２４が画定され、各補助吹出通路２４が対応する補助吹出口２３と連通し、空気調和機が動作する場合、風は主吹出口１１及び左右両側に位置する補助吹出口２３から吹き出されてもよい。
【００２８】
第１の補助吹出用グリル３は補助吹出口２３に設けられ、導風部材５はエンドカバー２の外面に設けられ、かつ前記補助吹出口２３の外周を囲むように設けられている。これにより、補助吹出口２３への導流及び導風の役割を果たし、機体の後側に向かう気流の流れを減らし、補助吹出口２３の吹出効果を向上させることができる。選択可能に、第１の補助吹出用グリル３はエンドカバー２と一体的に成型される。
【００２９】
本出願の実施例による空気調和機用室内機１００のケーシングアセンブリでは、エンドカバー２の補助吹出口２３の外周に導風部材５が設けられることにより、補助吹出口２３への導流及び導風の役割を果たし、機体の後側に向かう気流の流れを減らし、補助吹出口２３の吹出効果を向上させることができる。
【００３０】
本出願のいくつかの実施例によれば、第１の補助吹出用グリル３は並列に設けられ、かつアーク状に延在する複数の第１の隔離リブ３１を有し、隣接する２つの第１の隔離リブ３１の間に第１の吹出通気孔３２が画定され、前記第１の吹出通気孔３２の幅が補助吹出通路２４に近接する方向に沿って、徐々に大きくなる。これにより、第１の吹出通気孔３２の面積が大きい部分が補助吹出通路２４に近接し、空気流路が小さくなり、これにより、空気流の抵抗を減らすことができ、それによって吹出が滑らかになり、空気流のエネルギー損失が減少する。
【００３１】
本出願のいくつかの実施例によれば、導風部材５はエンドカバー２に着脱可能に接続される。これにより、導風部材５の着脱が容易になる。
【００３２】
導風部材５とエンドカバー２のうちの一方に留め具を設け、且つ他方に留め具と嵌合する係合溝を設けることも可能である。これにより、留め具と係合溝の係合により、導風部材５の着脱がさらに容易になる。導風部材５に留め具が設けられる場合、エンドカバー２に係合溝が設けられ、導風部材５に係合溝が設けられる場合、エンドカバー２に留め具が設けられる。
【００３３】
例えば、図８と図１０の例では、エンドカバー２に位置制限溝２７が形成され、位置制限溝２７の側壁に係合溝２７１が形成され、導風部材５に留め具５１が形成されている。導風部材５を取り付ける場合、まず導風部材５の留め具５１を位置制限溝２７に延在させ、そして留め具５１を位置制限溝２７の側壁上の係合溝２７１に係止し、係合溝２７１と位置制限溝２７が協働して位置制限の機能を果たすことで、導風部材５をエンドカバー２により良く接続して固定することができる。
【００３４】
さらに、図８と図１０を参照すると、導風部材５には、位置制限溝２７と嵌合する位置制限部５２が形成され、位置制限部５２は、導風部材５の延在方向に沿って延在し、かつ留め具５１から離れて設けられている。これにより、導風部材５が容易に取り付けられる場合、導風部材５の位置制限部５２とエンドカバー２の位置制限溝２７の係合により事前位置決めを行い、導風部材５が事前位置決めされた後、導風部材５の留め具５１によって位置制限溝２７の側壁上の係合溝２７１に係合し、この時に留め具５１と係合溝２７１の係合により、同時に位置制限溝２７と位置制限部５２の係合と組み合わせ、さらに導風部材５の接続の信頼性を向上させることができる。
【００３５】
本出願のいくつかの実施例によれば、導風部材５の外側輪郭の形状は、第１の補助吹出用グリル３の外側輪郭の形状に適合する。これにより、エンドカバー２の外観がより調和的かつ美しくなり、且つ導風部材５は、導風、導流においてより良い役割を果たすことができる。
【００３６】
図８と図１０を参照すると、第１の補助吹出用グリル３の外側輪郭と導風部材５の外側輪郭がいずれも「Ｓ」形であることも可能である。これにより、導風部材５が同時に装飾機能を有し、さらに機械全体の外観が美しくなる。
【００３７】
本出願のさらなる実施例では、図７〜図９を参照すると、ケーシングアセンブリはさらに第２の補助吹出用グリル４を備え、第２の補助吹出用グリル４が第１の補助吹出用グリル３の外側に設けられ、したがって、エンドカバー２の補助吹出口２３に内外両層の吹出用グリルを設置することにより、機体の内部構造が見えにくくなり、それによって機械全体の美観が向上する。第２の補助吹出用グリル４はエンドカバー２に着脱可能に接続され、空気調和機用室内機１００の長期動作中には、補助吹出口２３の近傍に大量の塵埃が堆積し、清掃する必要があるが、この時に外側に位置する第２の補助吹出用グリル４を取り外して清掃するだけでよく、清掃が完了した後にエンドカバー２に取り付け、これにより、補助吹出口２３のグリル清掃がより便利になる。
【００３８】
例えば、図１〜図１０に示す例では、ケーシングアセンブリは上述したパネルフレーム１、フロントパネル６、２つのエンドカバーエンドカバー２と導風板１２を備え、パネルフレーム１の上部に吸込口が形成され、かつパネルフレーム１の前側底部に主吹出口１１が形成され、パネルフレーム１の前側にフロントパネル６が設けられ、主吹出口１１がフロントパネル６の下方に位置し、主吹出口１１に導風板１２が設けられ、２つのエンドカバー２がそれぞれパネルフレーム１の左端と右端に設けられ、エンドカバー２に留め具２５が形成され、パネルフレーム１に係合溝が形成され、留め具２５と係合溝の嵌合によりエンドカバー２をパネルフレーム１に取り付けることができる。
【００３９】
パネルフレーム１の左端に位置するエンドカバー２とパネルフレーム１の右端に位置するエンドカバー２のそれぞれに補助吹出口２３が形成され、各補助吹出口２３に上記第１の補助吹出用グリル３と第２の補助吹出用グリル４が設けられる。各エンドカバー２は、本体部２１と延在部２２を含み、各エンドカバーの本体部２１はそれぞれパネルフレーム１の左側及び右側に位置し、各本体部２１に補助吹出口２３が形成され、補助吹出口２３は本体部２１の下部及び前部に位置し、延在部２２の一端が本体部２１の底部に接続され、かつ延在部２２の他端が前方に向かって上へ延在し、延在部２２は円弧板状であり且つ前方に向かって湾曲し、各エンドカバー２の延在部２２がパネルフレーム１の底面からパネルフレーム１の前側に延在し、導風板１２が主吹出口１１を閉じると、導風板１２は延在部２２の外側を覆い、この時に延在部２２は導風板１２に覆われ、全体的な美観性を保証する。図３、図４と図７を参照すると、延在部２２に補強構造２２１が設けられてもよく、これにより延在部２２の強度を高めることができ、例えば、補強構造２２１は、延在部２２の外面に形成された複数の溝を含むことができる。
【００４０】
左端に位置するエンドカバー２の延在部２２とパネルフレーム１の間に補助吹出通路２４が画定され、該補助吹出通路２４は、対応する本体部２１の補助吹出口２３と連通する。左端に位置するエンドカバー２の延在部２２とパネルフレーム１の間に補助吹出通路２４が画定され、該補助吹出通路２４は対応する本体部２１の補助吹出口２３と連通する。
【００４１】
これにより、空気調和機が動作する場合、導風板１２は主吹出口１１を開き、一部の風が主吹出口１１から吹き出され、別の部分の風が左右両側の補助吹出通路２４を流れ、それぞれエンドカバー２の補助吹出口２３から吹き出される。風はエンドカバー２の補助吹出口２３を介して吹き出される過程において順次第１の補助吹出用グリル３と第２の補助吹出用グリル４を通り、これにより設けられた両層の吹出用グリルはさらなる導風の役割を果たすことができる。
【００４２】
図１と図２を参照すると、導風板１２に複数の通気孔１２１が形成されてもよく、複数の通気孔１２１は導風板１２に均一に分布している。この場合、空気調和機は通常モードと無風モードを有することができ、空気調和機が通常モードにあると、導風板１２は主吹出口１１を開き、一部の風が主吹出口１１から吹き出され、別の部分の風が左右両側の補助吹出通路２４を流れ、それぞれエンドカバー２の補助吹出口２３から吹き出され、空気調和機が無風モードにあると、導風板１２は主吹出口１１を閉じ、この時に一部の風が導風板１２の複数の通気孔１２１から吹き出され、これにより気流を分散させることができ、別の部分の風が左右両側の補助吹出通路２４を流れ、それぞれ補助吹出口２３を介して吹き出される。これにより、ユーザーの様々なニーズを満たすことができる。
【００４３】
本出願のいくつかの選択可能な実施例では、図７〜図９を参照すると、第２の補助吹出用グリル４に複数の留め具４３が設けられ、複数の留め具４３が第２の補助吹出用グリル４の延在方向に沿って離れて設けられ、エンドカバー２には、グリル留め具４３と嵌合する係合溝２６１が複数設けられている。これにより、第２の補助吹出用グリル４をエンドカバー２に確実に接続して固定することができる。
【００４４】
本出願のいくつかの選択可能な実施例では、図７〜図９を参照すると、エンドカバー２に取付溝２６が設けられ、第１の補助吹出用グリル３が取付溝２６の底壁を構成し、第２の補助吹出用グリル４が取付溝２６内に設けられている。これにより、第２の補助吹出用グリル４の取り付けが容易になり、且つエンドカバー２の外部構造がよりコンパクトになり、全体の外観がより美しくなる。
【００４５】
本出願のいくつかの選択可能な実施例では、図７〜図９を参照すると、第２の補助吹出用グリル４は並列に設けられ、かつアーク状に延在する複数の第２の隔離リブ４１を有し、隣接する２つの第２の隔離リブ４１の間に第２の通気孔４２が画定され、吹出方向において第２の隔離リブ４１の少なくとも部分が第１の吹出通気孔３２に対向し、第２の隔離リブ４１の幅が第１の吹出通気孔３２の幅より小さい。これにより、エンドカバー２の補助吹出口２３によって生じる隙間を縮小することができ、それによって該外観から機体の内部構造が見えてしまうことをさらに回避でき、風量に影響を与えることなく機械全体の美観性をさらに向上させることができ、且つ第１の補助吹出用グリル３の第１の隔離リブ３１と第２の補助吹出用グリル４の第２の隔離リブ４１をアーク状に延在させることにより、エンドカバー２の外観の美観性をさらに向上させることができる。
【００４６】
さらに、図９を参照すると、補助吹出通路２４に近接する方向に沿って、第２の吹出通気孔４２の幅が徐々に大きくなる。これにより、第２の吹出通気孔４２の面積が大きい部分が補助吹出通路２４に近接し、空気流路が小さくなり、これにより、空気流の抵抗を減らすことができ、それによって吹出が滑らかになり、空気流のエネルギー損失が減少する。
【００４７】
ケーシングアセンブリが上記第２の補助吹出用グリル４を含む場合、導風部材５の外側輪郭の形状は、第１の補助吹出用グリル３及び第２の補助吹出用グリル４の外側輪郭の形状に適合し、これによりエンドカバー２の外観がより調和的かつ美しくなる。例えば、第１の補助吹出用グリル３の外側輪郭、第１の補助吹出用グリル３の外側輪郭と導風部材５の外側輪郭はいずれも「Ｓ」形であり、これにより、導風部材５が同時に装飾機能を有し、さらに機械全体の外観が美しくなる。
【００４８】
本出願の第２の態様の実施例による空気調和機用室内機１００は、本出願の上記第１の態様の実施例によるケーシングアセンブリを含む。
【００４９】
本出願の実施例による空気調和機用室内機１００では、上記ケーシングアセンブリが設けられることにより、補助吹出口２３の吹出効果を向上させることができる。
【００５０】
本明細書の説明では、用語「一つの実施例」、「いくつかの実施例」、「例示的な実施例」、「例」、「具体的な例」、又は「いくつかの例」等を参照した説明は、該実施例又は例と組み合わせて説明されている具体的な特徴、構造、材料又は特性が本出願の少なくとも一つの実施例又は例に含まれることを意味する。本明細書では、上記用語の例示的な表現は、必ずしも同じ実施例又は例を意味するわけではない。さらに、説明された具体的な特徴、構造、材料又は特性が任意の１つ又は複数の実施例又は例において適切な方式で組み合わせられてもよい。
【００５１】
本出願の実施例を例示して説明したが、当業者であれば、本出願の原理や精神から逸脱することなく、これらの実施例に対して様々な変更、修正、置換や変形を行うことができ、本出願の範囲が特許請求の範囲及びその均等物により限定されることが理解できる。
【符号の説明】
【００５２】
１００  空気調和機用室内機
１  パネルフレーム
１１  主吹出口
１２  導風板
１２１  通気孔
１３  吸込用グリル
１４  係合溝
２  エンドカバー
２１  本体部
２２  延在部
２２１  補強構造
２３  補助吹出口
２４  補助吹出通路
２５  留め具
２６  取付溝
２６１  係合溝
２７  位置制限溝
２７１  係合溝
３  第１の補助吹出用グリル
３１  第１の隔離リブ
３２  第１の吹出通気孔
４  第２の補助吹出用グリル
４１  第２の隔離リブ
４２  第２の吹出通気孔
４３  留め具
５  導風部材
５１  留め具
５２  位置制限部
６  フロントパネル
【図１】
0006810284.tif 000002
【図２】
0006810284.tif 000003
【図３】
0006810284.tif 000004
【図４】
0006810284.tif 000005
【図５】
0006810284.tif 000006
【図６】
0006810284.tif 000007
【図７】
0006810284.tif 000008
【図８】
0006810284.tif 000009
【図９】
0006810284.tif 000010
【図１０】
0006810284.tif 000011